(57)【要約】  本発明では、取り付け照明器具もしくは作り付け照明器具に照明器具の各部品を取り付けられるように形成された、ハウジングフレーム１を作るための断面成形ストリップ１０を提案する。この断面成形ストリップ１０は、その照明器具内部側に、互いに同じ形で鏡像対称に配置されたサポートストリップ１３を有する。このサポートストリップは、透過性の板２０と底板３０のいずれかを支える。その際板２０はねじ固定された押さえストリップ２１によって、また底板３０は直接、断面成形ストリップ１０にねじ固定される。
2011508397.tif 000002
【特許請求の範囲】
【請求項１】
４つの断面成形ストリップ（１０）の相互接合により形成された１つのハウジングフレーム（１）と、ハウジングの一方の側に挿入された１つの透明な板（２０）と、反対側に挿入された１つの底板（３０）と、ハウジング内に配置された１つの光源、それも特に１つの蛍光灯（４１）または１つの発光ダイオード配列とからなり、
かつ、その際断面成形ストリップ（１０）が前記ハウジングの外側に固定のための縁ストリップ（１２）と、内側に板（２０）もしくは底板（３０）を支えかつ固定するサポートストリップ（１３）とを有するという照明器具であって、
サポートストリップ（１３）が互いに同じ形で鏡像対称に配置されていることと、
板（２０）が、サポートストリップ（１３）にねじ固定された押さえストリップ（２１）によって、ハウジングフレーム（１）の断面成形ストリップ（１０）に接合されており、その際押さえストリップ（２１）用の固定ねじ（２３）が、ストリップ表面に対して垂直に延びるねじ穴内にねじ込まれていることを特徴とする照明器具。
【請求項２】
サポートストリップ（１３）が収容スリット（１７）を有し、また底板（３０）および押さえストリップ（２１）が、収容スリット（１７）と噛み合う屈曲部（３０ａ，２１ａ）を有することを特徴とする、請求項１に記載の照明器具。
【請求項３】
サポートストリップ（１３）が、その外面にシーリング（２４）を収容するための溝状のノッチ（１４，１５）を有することを特徴とする、請求項１または請求項２に記載の照明器具。
【請求項４】
２液性ポリウレタンフォームプラスチックのシーリング（２４）がノッチ（１４，１５）内に入っていることを特徴とする、請求項３に記載の照明器具。
【請求項５】
サポートストリップ（１３）がストリップ表面に平行に延びるノッチ（１６）を有しており、その中にねじ山挿入ストリップ（２２）が挿入されていることを特徴とする、請求項１から請求項４のいずれか一項に記載の照明器具。
【請求項６】
断面成形ストリップ（１０）がその突合せ部分において斜め継ぎ用にカットされていることと、角領域においてコーナー接合部品（２２）が、ねじ山挿入ストリップ（１２）に接するようにして上開きノッチ（１６）内に挿入されていることとを特徴とする、請求項１から請求項５のいずれか一項に記載の照明器具。
【請求項７】
断面成形ストリップ（１０）の互いに接する両斜め継ぎ面間に、ソフトポリウレタンなどの可塑性材料からなるコーナーシーリング（２７）が封入されていることを特徴とする、請求項６に記載の照明器具。
【請求項８】
押さえストリップ（２１）が、その突合せ部分において斜め継ぎ用にカットされていることを特徴とする、請求項１から請求項７のいずれか一項に記載の照明器具。
【請求項９】
断面成形ストリップ（１０）が、アルミニウムなどの軽金属からなる押出し断面成形物であり、板（２０）がガラスまたは透明プラスチックからなり、底板（３０）が薄鋼板などの金属からなることを特徴とする、請求項１から請求項８のいずれか一項に記載の照明器具。
【請求項１０】
蛍光灯（４１）のそばもしくは下方の底板（３０）面上に反射鏡薄鋼板（３３，３４）が配置されていることを特徴とする、請求項１から請求項９のいずれか一項に記載の照明器具。
【発明の詳細な説明】
【技術分野】
【０００１】
本発明は、請求項１の前置き部分において述べた種類の照明器具に関する。
【背景技術】
【０００２】
この照明器具は主として、４つの断面成形ストリップの相互接合により形成された１つのハウジングフレームと、ハウジングの一方の側に挿入されたガラス製またはプラスチック製の１つの透明な板と、反対側に挿入された１つの底板と、ハウジング内に配置された１つの光源、それも特に１つの蛍光灯または１つの発光ダイオード配列からなる。
【０００３】
このような照明器具は、独国特許第ＡＳ１０４８５４３号ならびに独国実用新案第２０２１２４１１号によって知られている。
【０００４】
従来の照明器具では、ハウジングフレームを形成する断面成形ストリップ、すなわち押出し断面成形棒は、ハウジングの外側に縁ストリップを有しており、これによりハウジングは壁などの土台に固定できるようになっている。
【０００５】
断面成形ストリップは、ハウジングの内側に、前記の板もしくは底板の支えおよび固定に使われるサポートストリップを有している。
【０００６】
断面成形ストリップなどのプレハブ部品から形成されるこの種の照明器具の利点は、簡単かつ合理的な方法で様々なサイズを製造することができることにある。
【０００７】
この照明器具を取り付け照明器具として使用する場合、つまり縁ストリップを土台に固定する場合、底板は縁ストリップ側に位置し、透明な板はハウジングの反対側に来る。
【０００８】
それに対し、この照明器具を壁面のくり抜き穴に取り付ける場合、つまり作り付け照明器具として使用する場合、透明な板は縁ストリップ側に位置し、底板はハウジングの反対側に来る。
【０００９】
これら２つの使用方法は、透明板と底板の固定法が異なるため、異なる形状の断面成形ストリップを必要とする。
【発明の概要】
【発明が解決しようとする課題】
【００１０】
本発明の課題は、照明器具製造のさらなる合理化のために、作り付け照明器具と取り付け照明器具併用フレームの製造に適した断面成形ストリップを創出することにある。
【課題を解決するための手段】
【００１１】
この課題は、請求項１に記載の照明器具との関連でその特徴を述べた断面成形ストリップを備えた本発明により解決される。
【００１２】
本発明の提案によれば、この断面成形ストリップの場合サポートストリップが同じ形で鏡像対称に配置されているので、透明な板もしくは底板をハウジングのどちら側にも挿入することができる。透明な板を固定するには押さえストリップというものが設けられていて、この押さえストリップが、断面成形ストリップから形成されたハウジングフレームにねじ固定されるようになっている。これに対し底板は、サポートストリップに直接ねじ固定することができる。
【００１３】
このような形状には、照明器具のどちら側からも整備が行えるというさらなる利点がある。つまり、縁ストリップも底板も常にねじを外せる状態なので、照明器具の内部に問題なく手が届くからである。
【００１４】
押さえストリップおよび底板を位置固定するために、請求項２の提案により押さえストリップおよび底板は、その外縁にサポートストリップの収容スリットと噛み合う屈曲部を有する。この両収容スリットも、押さえストリップおよび底板の両屈曲部も、同じ形で鏡像対称に配置されている。取り付けた状態で両屈曲部は互いに向かい合う形となる。
【００１５】
請求項３のさらなる提案によれば、サポートストリップはその外面に溝状のノッチを有しており、その中に、主として請求項４による２液性ポリウレタンフォームプラスチックのシーリングが入るようになっている。これにより飛沫と塵から守られた照明器具の製造が容易な方法で可能となる。
【００１６】
さらなる製造の簡略化をはかるため、請求項５の提案では、固定ねじ用のねじ山がねじ山ストリップ内に設けられており、このねじ山ストリップが、サポートストリップの表面と平行に延びるノッチ内に挿入されている。
【００１７】
それ自体は知られている方法で、請求項６により断面成形ストリップはその突合せ部分において斜め継ぎ用にカットされている。今回の場合は断面成形ストリップを接合するためにコーナー接合部品が備えられており、このコーナー接合部品は、断面成形ストリップの上開きノッチ内、たとえばねじ山ストリップを収容するノッチ内に挿入される。
【００１８】
この部分を密閉するために、請求項７の提案により、斜め継ぎ用にカットされた断面成形ストリップの両突合せ部分の間にシーリングが封入されていることが有利である。
【００１９】
本発明による照明器具のさらなる構造的形態は、下位請求項の請求項８〜１０に述べられている。
【図面の簡単な説明】
【００２０】
【図１】本発明による照明器具の実施例の遠近法による分解図である。
【図２】作り付け照明器具としての図１の照明器具の軸方向の部分断面図である。
【図３】取り付け照明器具としての図１の照明器具の軸方向の部分断面図である。
【図４】本発明による断面成形ストリップの拡大断面図である。
【図５】フレームの角領域の遠近法による分解図である。
【発明を実施するための形態】
【００２１】
図１の分解図は、本発明による照明器具の各部品とその位置関係を示す。
【００２２】
この照明器具はセンターフレーム１を有しており、このフレームには上から、ガラス板など透光性材料からなる板２０がはめ込まれており、また下からは底板３０がねじ２３で固定されている。
【００２３】
板２０は、押さえストリップ２１によってフレーム１に固定されているが、この押さえストリップは、第２のフレーム２を形成するものであり、ねじ２３によってフレーム１と結合する。
【００２４】
底板３０は、アングルプレート４３によって蛍光灯４１とそのランプソケット４２を支えている。底板３０の蛍光灯４１のそばには制御装置４４が取り付けられている。薄鋼板３１は、その屈曲部３２によって制御装置４４の覆いとして、またそれに続く屈曲部３３によって蛍光灯４１の反射鏡として働く。反射鏡３３は、底板３０に装着された第２の反射鏡薄鋼板３４と対を成す。
【００２５】
蛍光灯４１の上方、そして板２０の下方には、プリズムブラインドなどのブラインド２６が備わる。
【００２６】
図２および図３は取り付け方法の違いを示している。
【００２７】
フレーム１を形成する断面成形ストリップ１０は、照明器具が図２のように壁５のくり抜き穴内に挿入されるように形成されており、その際、断面成形ストリップ１０から脇に突き出た縁板１２は、くり抜き部のそばの壁とねじなどによって接合されるようになっている。
【００２８】
図３は、同じ部品を用いて組み立てられたが、取り付け照明器具として取り付けられた照明器具を示す。この場合、断面成形ストリップ１０で形成された照明器具フレームは、脇に突き出たその縁板１２によって壁５にねじなどによって固定されている。
【００２９】
このように異なる使用方法を可能にするのは、本発明による断面成形ストリップ１０の形状であり、その拡大断面図を図４に示す。
【００３０】
図４から分かるように、断面成形ストリップ１０の照明器具内部側の面はＡ−Ａを対称軸として鏡像対称になっている。
【００３１】
この対称軸の両側において、この図では垂直に描かれた壁部分１１に、水平に延びるサポートストリップ１３が備わる。サポートストリップ１３は、その外側末端にシーリング２４を収容するための溝状のノッチ１４および１５を有する。
【００３２】
さらに、ねじ山挿入ストリップ２２を収容するためのノッチ１６と、押さえストリップ２１の屈曲部２１ａもしくは底板３０の屈曲部３０ａを収容するための収容スリット１７が、それぞれ１つずつ備わる（これについては以下に詳述する）。
【００３３】
壁部分１１の外面には片方の末端にだけ縁板１２が備わっており、これと対称をなす物はない。
【００３４】
このような断面成形ストリップ１０の形状により、図２と図３から分かるように同じ部品で作り付け照明器具と取り付け照明器具の両方の製造が可能となる。
【００３５】
図２の作り付け照明器具の場合、透過性の板２０は、ぐるっと取り巻く縁板１２の近くに配置されている。その際、板２０は、サポートストリップ１３の内側に突き出た末端上に載っており、その際、ノッチ１４内に注入された２液性ポリウレタンフォームプラスチックからなるシーリングが埃と飛沫を防いでいる。縁領域の板２０の上面に載った押さえストリップ２１が、板２０を固定している。この押さえストリップ２１は、ねじ２３によってサポートストリップ１３に固定されており、その際ノッチ１６内に挿入されたねじ山挿入ストリップ２２にはねじ２３のためのねじ山２２ａ（図５参照）がある。縁板１２に隣接する押さえストリップ２１の末端は、屈曲形状２１ａに形成されており、断面成形ストリップ１０の収容スリット１７と噛み合う。
【００３６】
底板３０も同様に、鏡像対称に形成された下側のサポートストリップ１３とねじ２３によって接合されている。これらのねじもまた、ノッチ１６内に挿入されたねじ山挿入ストリップ２２のねじ山と噛み合う。
【００３７】
壁部分１１に隣接する底板３０の末端は、押さえストリップ２１と同様に屈曲部３０ａとして形成されており、断面成形ストリップの収容スリット１７と噛み合う。
【００３８】
埃と飛沫を防ぐシーリングを実現するために、底板３０とサポートストリップ１３の間のノッチ１５内に、２液性ポリウレタンフォームプラスチックからなるシーリング２４が注入された。
【００３９】
断面成形ストリップ１０の鏡像対称形状は、図３から分かるように同じ部品で取り付け照明器具の組み立てを可能にする。図２の構造と比べると、底板３０が、板２０および付属の押さえストリップ２１と入れ替わっている。構成部品の形状ならびに電気部品の配置は全く変わらない。
【００４０】
照明器具の内部には、蛍光灯４１とその反射鏡３３および３４ならびに制御装置４４が配置されている。制御装置４４は、薄鋼板３１の屈曲部３２で覆われている。蛍光灯４１の上方にはプリズムブラインドのようなブラインド２６が配置されている。
【００４１】
本発明により形成される断面成形ストリップ１０（押出し成形アルミニウムから作るのが得策である）によって、任意のサイズのハウジングフレーム１の製造が可能となる。この断面成形ストリップは、実用的なことにその突合せ部分が斜め継ぎ用にカットされている。図５から分かるように、角領域における接合のために同じくアルミニウムでできたコーナー接合部品２５が備えられており、その直角をなす腕木２５ａが上から、互いに接合された断面成形ストリップ１０のノッチ１６内に押し込まれている。押し嵌め性を良くするために腕木２５ａの表面には刻み目が付けられている。
【００４２】
図５から分かるように、ねじ山挿入ストリップ２２は角領域までは延びていないので、コーナー接合部品２５の腕木２５ａを収容するためのスペースは残されている。
【００４３】
互いに隣り合う断面成形ストリップ１０の両突合せ面間には、可塑性材料からなるコーナーシーリング２７が挿入されており、断面において突出部とバー２７ａ〜２７ｄを持つその輪郭は、突合せ面に対応している。脇に突き出たバー２７ｅは、ねじ山挿入ストリップ用ノッチ１６の前端内に突き出ている。
【００４４】
両バー２７ｄ間には、バーの安定と密閉に役立つフレキシブルなダイヤフラム２７ｆが形成されている。
【００４５】
コーナーシーリング２７もまたシーリング２４と同じくソフトポリウレタンからなる。
【符号の説明】
【００４６】
１  フレーム
２  ４つの押さえストリップ２１から形成されたフレーム
５  壁
１０  断面成形ストリップ
１１  壁部分
１２  縁板
１３  サポートストリップ
１４  溝状ノッチ
１５  溝状ノッチ
１６  ねじ山挿入ストリップ用ノッチ
１７  収容スリット
１８  コーナーシーリング
１９  ノッチ
２０  板
２１  押さえストリップ
２１ａ  屈曲部
２２  ねじ山挿入ストリップ
２２ａ  ねじ山
２３  ねじ
２４  シーリング
２５  コーナー接合部品
２５ａ  腕木
２６  プリズムブラインド
２７  コーナーシーリング
２７ａ〜ｅ  バーおよび突出部
２７ｆ  ダイヤフラム
３０  底板
３０ａ  屈曲部
３１  薄鋼板
３２  屈曲部
３３  反射鏡
３４  反射鏡薄鋼板
４０  ブラインド
４１  蛍光灯
４２  ランプソケット
４３  アングルプレート
４４  制御装置
Ａ−Ａ  対称軸
【図１】
2011508397.tif 000003
【図２】
2011508397.tif 000004
【図３】
2011508397.tif 000005
【図４】
2011508397.tif 000006
【図５】
2011508397.tif 000007
【手続補正書】
【提出日】平成21年3月25日(2009.3.25)
【手続補正１】
【補正対象書類名】特許請求の範囲
【補正対象項目名】全文
【補正方法】変更
【補正の内容】
【特許請求の範囲】
【請求項１】
４つの断面成形ストリップ（１０）の相互接合により形成された１つのハウジングフレーム（１）と、ハウジングの一方の側に挿入された１つの透明な板（２０）と、反対側に挿入された１つの底板（３０）と、ハウジング内に配置された１つの光源、それも特に１つの蛍光灯（４１）または１つの発光ダイオード配列とからなる照明器具であって、
その際断面成形ストリップ（１０）が前記ハウジングの外側に固定のための縁ストリップ（１２）を有し、かつ内側には板（２０）もしくは底板（３０）を支えかつ固定するサポートストリップ（１３）を有しており、これらのサポートストリップ（１３）は互いに同じ形で鏡像対称に配置されており、
その際さらに板（２０）が、サポートストリップ（１３）にねじ固定された押さえストリップ（２１）によって、ハウジングフレーム（１）の断面成形ストリップ（１０）に接合されており、また押さえストリップ（２１）用の固定ねじ（２３）が、ストリップ表面に対して垂直に延びるねじ穴内にねじ込まれている、照明器具。
【請求項２】
サポートストリップ（１３）が収容スリット（１７）を有し、また底板（３０）および押さえストリップ（２１）が、収容スリット（１７）と噛み合う屈曲部（３０ａ，２１ａ）を有することを特徴とする、請求項１に記載の照明器具。
【請求項３】
サポートストリップ（１３）が、その外面にシーリング（２４）を収容するための溝状のノッチ（１４，１５）を有することを特徴とする、請求項１または請求項２に記載の照明器具。
【請求項４】
２液性ポリウレタンフォームプラスチックのシーリング（２４）がノッチ（１４，１５）内に入っていることを特徴とする、請求項３に記載の照明器具。
【請求項５】
サポートストリップ（１３）がストリップ表面に平行に延びるノッチ（１６）を有しており、その中にねじ山挿入ストリップ（２２）が挿入されていることを特徴とする、請求項１から請求項４のいずれか一項に記載の照明器具。
【請求項６】
断面成形ストリップ（１０）がその突合せ部分において斜め継ぎ用にカットされていることと、角領域においてコーナー接合部品（２２）が、ねじ山挿入ストリップ（１２）に接するようにして上開きノッチ（１６）内に挿入されていることとを特徴とする、請求項１から請求項５のいずれか一項に記載の照明器具。
【請求項７】
断面成形ストリップ（１０）の互いに接する両斜め継ぎ面間に、ソフトポリウレタンなどの可塑性材料からなるコーナーシーリング（２７）が封入されていることを特徴とする、請求項６に記載の照明器具。
【請求項８】
押さえストリップ（２１）が、その突合せ部分において斜め継ぎ用にカットされていることを特徴とする、請求項１から請求項７のいずれか一項に記載の照明器具。
【請求項９】
断面成形ストリップ（１０）が、アルミニウムなどの軽金属からなる押出し断面成形物であり、板（２０）がガラスまたは透明プラスチックからなり、底板（３０）が薄鋼板などの金属からなることを特徴とする、請求項１から請求項８のいずれか一項に記載の照明器具。
【請求項１０】
蛍光灯（４１）のそばもしくは下方の底板（３０）面上に反射鏡薄鋼板（３３，３４）が配置されていることを特徴とする、請求項１から請求項９のいずれか一項に記載の照明器具。
【国際調査報告】
2011508397.tif 000008
2011508397.tif 000009
2011508397.tif 000010
2011508397.tif 000011